(57)【特許請求の範囲】
【請求項１】
表面材と、
上生地と下生地が接結糸で部分的に固定されたヒータユニット生地と、
前記ヒータユニット生地内部の接結糸で分割された空間に自由度を有して配線されたヒータ線と、
前記ヒータユニット生地の下面に、前記ヒータ線と干渉しない位置で面状にミシン糸固定された裏面材とからなり、
前記表面材は、一体となった前記裏面材と前記ヒータユニット生地とは外周部のみでミシン糸固定し、
前記ヒータ線は、ヒータ線への通電制御を行うコントローラ部と接続部を介して接続してなるソファー用暖房器具。
【請求項２】
接続部は、ヒータ線端末部をヒータユニット生地端部に取り出し固定するためのコード口ケースからなり、前記コード口ケースは表面材と裏面材端部内側に覆われてなる請求項１記載のソファー用暖房器具。
【請求項３】
ヒータ線の配線は、ソファー座面に接する位置で密とし、ソファー背面に接する位置は疎とした請求項１または２記載のソファー用暖房器具。
【請求項４】
裏面材には、発泡倍率３０〜５０倍の比較的高発泡倍率の発泡ウレタンを使用するとともに、前記発泡ウレタン上、下面には織布をフレームラミにて固定してなる請求項１〜３のいずれか１項に記載のソファー用暖房器具。
【請求項５】
裏面材下面には、ソファー座面に接する位置のみ滑り止め加工を施してなる請求項１〜４のいずれか１項に記載のソファー用暖房器具。
【請求項６】
コントローラ部は、コントローラ部内部の温度に基づいて、ヒータへの通電制御を行うようにした請求項１〜５のいずれか１項に記載のソファー用暖房器具。
【請求項７】
接続部近傍の表面材のコーナー部にコントローラ部を固定するコントローラ固定バンドを取付けてなる請求項１〜６のいずれか１項に記載のソファー用暖房器具。
【発明の詳細な説明】
【０００１】
【発明の属する技術分野】
本発明は、椅子やソファーなどに掛けて使用するソファー用暖房器具に関するものである。
【０００２】
【従来の技術】
従来のソファー用暖房器具は、図９に示されるように、床面に敷いて用いられる電気カーペットと同様な構成であった。図９において１０１は表面材、１０２はヒータ線、１０４はフェルト等でできた断熱材であり、接着剤１０３により一体化されていた。また、１０５はコントローラ部であり、ヒータ線への通電を制御し、ヒータの温度を設定温度に維持していた。
【０００３】
【発明が解決しようとする課題】
しかし、比較的硬い床面で使用する電気カーペットとは異なり、ソファーの様に柔軟性に富んだ物の上で使用した場合、上面からの荷重等で発熱体であるヒータ線にストレスがかかりやすいといった課題があった。また、ソファーの上で使用した場合、コントローラ部はソファーと接するためソファー表面を傷つける恐れがあるといった課題があった。床面で使用する場合と異なり、ソファー上で使用すると、座面と背面では人間の温感が異なるため、一様な加熱では体感的に不快であるといった課題があった。また、床面で使用することを前提とした構成である為、本体に充分な柔軟性がなく、ソファーの形状になじみにくいといった課題があった。また、ソファーで使用した場合、使用とともにずり落ちやすいといった課題があった。また、ソファー上にはクッション等を戴置される場合が多いため、コントローラ部が保温されて、コントラーラ部内部の温度が上昇し制御部品を傷めるといった課題があった。
【０００４】
本発明は、前記従来の課題を解決するもので、ソファー等の上面に戴置して使用するソファー用暖房器具を提供することを目的とする。
【０００５】
【課題を解決するための手段】
前記従来の課題を解決するために、本発明のソファー用暖房器具は、表面材と、上生地と下生地が接結糸で部分的に固定されたヒータユニット生地と、前記ヒータユニット生地内部の接結糸で分割された空間に自由度を有して配線されたヒータ線と、前記ヒータユニット生地の下面に、前記ヒータ線と干渉しない位置で面状にミシン糸固定された裏面材とからなり、前記表面材は、一体となった前記裏面材と前記ヒータユニット生地とは外周部のみでミシン糸固定し、前記ヒータ線はコントローラ部と接続部を介して接続するようにしたものである。
【０００６】
これによって、クッション性に富んだソファー上面に戴置し、その上面に載って使用することで加わる、器具内部のヒータ線への荷重ストレスは、ヒータ線が有する自由度により、ストレスが分散吸収されることで、保護される構成となっている。また、表面材への水平方向に対するストレスは、表面材と、一体となった裏面材とヒータユニット生地とは外周部のみで固定されているため、表面材とヒータユニット生地は滑り効果によるストレス分散により、直接ヒータユニット生地内部に配線されているヒータ線へ加わることはない。また、裏面材とヒータユニット生地とは、一体化されているものの、ヒータ線に干渉しない位置でのみ固定されているため、裏面材の水平方向にかかるストレスは、直接ヒータ線に加わることはない。
【０００７】
【発明の実施の形態】
請求項１に記載の発明は、表面材と、上生地と下生地が接結糸で部分的に固定されたヒータユニット生地と、前記ヒータユニット生地内部の接結糸で分割された空間に自由度を有して配線されたヒータ線と、前記ヒータユニット生地の下面に、前記ヒータ線と干渉しない位置で面状にミシン糸固定された裏面材とからなり、前記表面材は、一体となった前記裏面材と前記ヒータユニット生地とは外周部のみでミシン糸固定し、前記ヒータ線はコントローラ部と接続部を介して接続することにより、クッション性に富んだソファー上面に戴置し、その上面に載って使用することで加わる、器具内部のヒータ線への荷重ストレスは、ヒータ線が有する自由度により、ストレスが分散吸収されることで、保護される構成となっている。また、表面材への水平方向に対するストレスは、表面材と、一体となった裏面材とヒータユニット生地とは外周部のみで固定されているため、直接ヒータユニット生地内部に配線されているヒータ線へ加わることはない。また、裏面材とヒータユニット生地とは、一体化されているものの、ヒータ線に干渉しない位置でのみ固定されているため、裏面材の水平方向にかかるストレスは、直接ヒータ線に加わらないという効果がある。
【０００８】
請求項２記載の発明は、特に請求項１に記載の接続部を、ヒータ線の端末部をヒータユニット生地端部に取り出し固定するためのコード口ケースで構成するとともに、前記コード口ケースは表面材と裏面材端部内側に覆うことにより、樹脂等で構成されたコード口ケース部がソファー表面材と直接接触することを防ぎ、ソファー表面材を傷めることを防ぐ効果がある。
【０００９】
請求項３記載の発明は、特に請求項１、２記載のヒータ線の配線を、ソファー座面に接する位置で密とし、ソファー背面に接する位置は疎とすることにより、人の臀部と背中部でそれぞれ適した温感が得られるようにする効果がある。
【００１０】
請求項４記載の発明は、特に請求項１〜３記載の裏面材の材質として、発泡倍率３０〜５０倍の比較的高発泡倍率の発泡ウレタンを使用するとともに、前記発泡ウレタン上、下面には織布をフレームラミにて固定することにより、軽量高断熱の断熱構成を与えることができるとともに、荷重ストレス等に対して耐久性を確保する効果が得られる。
【００１１】
請求項５記載の発明は、特に請求項１〜４記載の裏面材下面に、ソファー座面に接する位置のみ滑り止め加工を施すことにより、実質的な滑り止め効果を確保しつつ、着座時に生じる滑り止め材とソファー間の摩擦音の低減が図れるとともに滑り止め材料の使用量低減が図れる。
【００１２】
請求項６記載の発明は、特に請求項１〜５記載のコントローラ部内部の温度により、通電を制御することで、ソファー等で使用する際、クッション等によりコントローラ部が保温されたとしても、コントローラ部の温度を一定の温度以下に保つことにより、信頼性の高い器具とすることができる。
【００１３】
請求項７記載の発明は、接続部近傍の表面材のコーナー部にコントローラ部を固定するコントローラ固定バンドを取付けることにより、コントローラ部非使用時の仮固定が可能となり、器具使用時にコントローラ部が邪魔にならないだけでなく、コントローラ部がソファー等で不用意に保温されることを未然に防ぐことが可能となる。
【００１４】
【実施例】
以下本発明の実施例について図面を参照しながら説明する。
【００１５】
（実施例１）
図１は本発明の第１の実施例におけるソファー用暖房器具の斜視図である。図２は一部切欠き平面図、第３図は図２中のＡ−Ａ線における断面図である。
【００１６】
図１、２、３においてにおいて、１は表面材、２は上生地２ａと下生地２ｂが接結糸２ｃで部分的に固定されたヒータユニット生地であり、前記接結糸２ｃは縦列状に一定間隔で縫製されている。３はヒータ線であり、前記ヒータユニット生地２内部の接結糸２ｃで分割された空間に自由度を有して配線されている。４は裏面材であり、その上面には前記ヒータユニット生地２がヒータ線３と干渉しない位置でミシン糸５固定により一体化されている。一体となった裏面材４とヒータユニット生地２外周部と前記表面材１外周部はミシン糸６固定されることで器具本体が構成されている。更に前記ヒータ線３はコントローラ部７と接続部１３を介して接続することにより、器具本体の通電を制御することができる。
【００１７】
以上のように構成されたソファー用暖房器具について、以下その動作、作用を説明する。
【００１８】
本発明のソファー用暖房器具は、名の通りクッション性に富んだソファー上面に戴置して使用される。しかし、その上面に載って使用することで器具本体には常に荷重ストレスが加わることになる。本発明の第１の実施例の構成とすることにより、器具本体内部のヒータ線３へ加わる荷重ストレスは、ヒータ線３が有する自由度により、分散吸収されるので、ヒータ線３は荷重ストレスから保護される。また、表面材１に加わる水平方向に対するストレスは、表面材１と、一体となった裏面材４とヒータユニット生地２とは外周部のみで固定されているため、表面材１とヒータユニット生地２は滑り効果によるストレス分散により直接ヒータユニット生地２内部に配線されているヒータ線３へ加わることはない。また、裏面材４とヒータユニット生地２とは、一体化されているものの、ヒータ線３に干渉しない位置でのみミシン糸５で固定されているため、裏面材４の水平方向にかかるストレスは、ミシン糸５固定部に集中し、直接ヒータ線３に加わらないという効果がある。
【００１９】
（実施例２）
図４は、本発明の第２の実施例のソファー用暖房器具の接続部構成図である。
【００２０】
ヒータ線３の端末部３ａをコード口ケース９にてヒータユニット生地２端部に取り出し固定されるとともに、前記コード口ケース９は表面材１と裏面材４端部内側に覆われて構成されている。該コード口ケース９内部の端末部３ａはコントローラ部７とコネクタ８を介して接続されるものである。
【００２１】
樹脂等で構成されたコード口ケース９が表面材１と裏面材４に覆われて構成されていることにより、コード口ケース９はソファー表面材と直接接触することがなく、ソファー表面材を傷めることを防ぐ効果が得られる。
【００２２】
（実施例３）
図５は、本発明の第３の実施例のソファー用暖房器具の一部切欠き平面図である。
【００２３】
ヒータ線３の配線を、ソファー座面に接する位置で密とし、ソファー背面に接する位置は疎となるように構成されてある。人体はその部位で温感が異なることは広く知られるところであるが、臀部は比較的温感が感じにくく、背中は臀部に比較して温感が感じられるところである。本構成とすることにより、人の臀部と背中部でそれぞれ適した温感が得られるようにする効果がある。
【００２４】
また、本実施例のヒータ線３の配線方向はソファー座面に対して直交する方向で配線されているが、座面に横方向で配線する場合は、配線ピッチを変化させることで、同様の効果が得られることとなる。
【００２５】
（実施例４）
図６は、本発明の第４の実施例のソファー用暖房器具の裏面材の断面図である。
【００２６】
裏面材４の材質として、発泡倍率３０〜５０倍の比較的高発泡倍率の発泡ウレタン４ａを使用するとともに、前記発泡ウレタン上、下面には織布４ｂをフレームラミにて固定し構成されている。
【００２７】
本構成とすることにより、軽量高断熱の断熱構成を与えることができるとともに、荷重ストレス等に対して耐久性を確保する効果が得られる。また、ソファー上面に戴置した場合、柔軟性を有しない断熱材を用いると、ソファー形状になじみにくく使い勝手が悪くなるが、本構成とすることにより柔軟性に富んだ本体構成とすることができるものである。
【００２８】
（実施例５）
図７は、本発明の第５の実施例のソファー用暖房器具の裏面構成図である。裏面材４下面に、ソファー座面に接する位置のみ滑り止め加工１０を施したものである。ソファーに着座することで、器具本体には下方向に対しズレ落ちる力が加わる。器具本体をずれないようにするためには、裏面材４下面に滑り止め加工を施せば良いが、全面に施すと使用時に器具本体とソファー間で生じる摩擦音が著しく使用感が良好とはいえない。該構成とすることにより、実質的な滑り止め効果を確保しつつ、着座時に生じる滑り止め材とソファー間の摩擦音の低減が図れるとともに滑り止め材料の使用量低減が図れるものである。
【００２９】
（実施例６）
図１に示すコントローラ部７内部には温度検出センサーが内接されており、コントローラ部７内部の温度に基づいて、通電を制御するよう構成されている。
【００３０】
ソファー等で使用する際、クッション等によりコントローラ部７が保温される機会が多いと想定されるが、コントローラ部７が保温されたとしても、温度検出センサーによりコントローラ部７の温度を一定の温度以下に保つことにより、コントローラ部７内部の制御部品への温度負荷を防止し、信頼性の高い器具とすることができる。
【００３１】
（実施例７）
図８は、本発明の第７の実施例のソファー用暖房器具の正面図である。
【００３２】
接続部１３近傍の表面材１のコーナー部１ａにコントローラ部７を固定する伸縮性を有するゴムバンド等でできたコントローラ固定バンド１１を取付けることにより、コントローラ部７非使用時の仮固定が可能となり、器具使用時にコントローラ部７が邪魔にならず使い勝手が良くなるだけでなく、コントローラ部７がクッション等で不用意に保温され加熱されたり、床へ落下する機会を低減する効果がある。
【００３３】
尚、コントローラ固定バンド１１は図８に示すように表面材１のコーナー部１ａに固定されていることと、コントローラ部７からコード口ケース９までの電気的接続を果たす電源コード１２が一定の余裕度を持った長さとしていることにより、コントローラ部７を使用する際は使用者はコントローラ部７を引張ることで容易に使用者の手元に持ってこれる使い勝手の良さも有している。
【００３４】
【発明の効果】
以上のように、請求項１〜７記載の発明によれば、本発明のソファー用暖房器具は、クッション性に富んだソファー上面に戴置して使用されることで、器具本体には常に荷重ストレスが加わるとしても、器具本体内部のヒータ線へ加わる荷重ストレスは、ヒータ線が有する自由度により、ストレスが分散吸収されることで保護される構成となっている。また、表面材に加わる水平方向に対するストレスは、表面材と、一体となった裏面材とヒータユニット生地とは外周部のみで固定されているため、表面材とヒータユニット生地は滑り効果によるストレス分散により直接ヒータユニット生地内部に配線されているヒータ線へ加わることはない。また、裏面材とヒータユニット生地とは、一体化されているものの、ヒータ線に干渉しない位置でのみミシン糸で固定されているため、裏面材の水平方向にかかるストレスは、ミシン糸固定部に集中し、直接ヒータ線に加わらないという効果がある。
【００３５】
以上のように、ソファー上で使用されても、器具本体に内設されているヒータ線を傷めることなく使用できる効果が得られるものである。
【図面の簡単な説明】
【図１】  本発明の第１の実施例におけるソファー用暖房器具の斜視図
【図２】  同ソファー用暖房器具の一部切欠き平面図
【図３】  図２中のＡ−Ａソファー用暖房器具におけるソファー用暖房器具の断面図
【図４】  図２中のＡ−Ａソファー用暖房器具の接続部構成図
【図５】  本発明の第３の実施例のソファー用暖房器具の一部切欠き平面図
【図６】  本発明の第４の実施例のソファー用暖房器具の裏面材の断面図
【図７】  本発明の第５の実施例のソファー用暖房器具の裏面構成図
【図８】  本発明の第７の実施例のソファー用暖房器具の正面図
【図９】  従来のソファー用暖房器具の斜視図
【符号の説明】
１  表面材
２  ヒータユニット生地
３  ヒータ線
４  裏面材
５  ミシン糸
６  ミシン糸
７  コントローラ部
１３  接続部
【図１】
0004595163.tif 000002
【図２】
0004595163.tif 000003
【図３】
0004595163.tif 000004
【図４】
0004595163.tif 000005
【図５】
0004595163.tif 000006
【図６】
0004595163.tif 000007
【図７】
0004595163.tif 000008
【図８】
0004595163.tif 000009
【図９】
0004595163.tif 000010